Podtech/llm-jp-corpus-v4-ja_patent huggingface dataset:
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
１以上のメモリと、１以上のプロセッサと、を備え、
前記１以上のプロセッサは、
第１の物品を、消耗状態を観測すべき対象として識別し、
消耗状態を観測すべき対象として識別された前記第１の物品の消耗状態を、当該対象の消耗状態を観測する情報取得装置によって観測可能にするよう、駆動装置を制御する、
検査装置。
【請求項２】
前記１以上のプロセッサは、
消耗状態を観測すべき対象として識別された前記第１の物品の消耗状態を前記情報取得装置によって観測可能にするための行動が必要かを判定し、
必要であると判定された前記行動をおこなうよう、前記駆動装置を制御する、
請求項１の検査装置。
【請求項３】
前記第１の物品の消耗状態を前記情報取得装置によって観測するために前記１以上のプロセッサは、
前記第１の物品を把持すること、および、前記第１の物品にインパクトを加えること、および、前記第１の物品を押さえること、の少なくとも１つが行われるよう、前記駆動装置を制御する、
請求項１又は２の検査装置。
【請求項４】
前記第１の物品の消耗状態を前記情報取得装置によって観測するために前記１以上のプロセッサは、
前記第１の物品を回転あるいは移動すること、および、前記第１の物品を前記情報取得装置に向けること、の少なくとも１つが行われるよう、前記駆動装置を制御する、
請求項１又は２の検査装置。
【請求項５】
前記第１の物品の消耗状態を前記情報取得装置によって観測するために前記１以上のプロセッサは、
前記情報取得装置の機構を駆動するよう、前記駆動装置を制御する、
請求項１乃至４のいずれか１項の検査装置。
【請求項６】
前記第１の物品の消耗状態を前記情報取得装置によって観測するために前記１以上のプロセッサは、
消耗状態を観測すべき対象として識別された前記第１の物品とは異なる別物品を移動させるよう、前記駆動装置を制御する、
請求項１乃至５のいずれか１項の検査装置。
【請求項７】
前記第１の物品の消耗状態を前記情報取得装置によって観測するために前記１以上のプロセッサは、
前記第１の物品に前記情報取得装置を近づけるよう、前記駆動装置を制御する、
請求項１乃至６のいずれか１項の検査装置。
【請求項８】
前記駆動装置によって駆動され、前記情報取得装置を移動可能にする移動手段を有する、
請求項１乃至７のいずれか１項の検査装置。
【請求項９】
前記情報取得装置を複数有し、
前記複数の情報取得装置により取得される情報には、前記第１の物品をカメラによって撮影した画像と、前記第１の物品をセンサで計測した計測値とが含まれ、
前記１以上のプロセッサは、
前記画像に基づいて、前記第１の物品が消耗状態を観測すべき対象として識別し、前記計測値に少なくとも基づいて前記第１の物品の消耗状態を観測する、
請求項１乃至８のいずれか１項の検査装置。
【請求項１０】
前記第１の物品を物理的にマニピュレート可能なマニピュレータを有し、
前記１以上のプロセッサは、
消耗状態を観測すべき対象として識別された前記第１の物品を前記マニピュレータによってマニピュレートすることで、前記情報取得装置により情報を取得し、前記情報取得装置により取得された情報に基づいて、前記第１の物品の消耗状態を観測する、
請求項１乃至９のいずれか１項の検査装置。
【請求項１１】
前記１以上のプロセッサは、消耗状態を観測すべき対象として識別された前記第１の物品に応じて、前記第１の物品に対する前記マニピュレータのマニピュレーション内容を決定し、
前記マニピュレータは、
前記決定されたマニピュレーション内容に基づいて、前記第１の物品を物理的にマニピュレートする、
請求項１０に記載の検査装置。
【請求項１２】
前記１以上のプロセッサは、観測された前記第１の物品の消耗状態に応じて、前記第１の物品に関する所定の対応を行う、
請求項１乃至１１のいずれか１項の検査装置。
【請求項１３】
前記所定の対応は、補充、発注、レコメンド、廃棄、交換、の少なくとも何れかである、
請求項１２の検査装置。
【請求項１４】
前記検査装置は、家庭内を自律的に移動可能なロボットである
請求項１乃至１２のいずれか１項の検査装置。
【請求項１５】
前記情報取得装置は、カメラであり、
前記検査装置は、家庭内を動き回りながら前記カメラによって取得された画像を解析することで、消耗品の消耗状態を観測する、
請求項１４の検査装置。
【請求項１６】
前記検査装置は、物品を第１地点から第２地点に搬送可能なロボットである、
請求項１乃至１５のいずれか１項の検査装置。
【請求項１７】
前記１以上のプロセッサは、
前記第１の物品の消耗状態を観測するのに障害となっている物品を搬送してどかすよう、前記駆動装置を制御すること、および、前記第１の物品の消耗状態を観測する際に当該第１の物品の消耗状態が観測可能な位置に当該第１の物品が位置するよう、前記駆動装置を制御すること、の少なくとも１つを実行する、
請求項１乃至１６のいずれか１項の検査装置。
【請求項１８】
前記情報取得装置、および、前記駆動装置を備える、
請求項１乃至１７のいずれか１項の検査装置。
【請求項１９】
物品に関する情報を取得する可動な情報取得装置と、
前記情報取得装置により取得した情報に基づいて、前記物品が消耗状態の判定の対象であるか否かを識別する識別手段と、
前記物品が消耗状態の判定の対象であると識別した場合、前記情報取得装置により取得した情報に基づいて、前記物品の消耗状態を判定する判定手段と、
を有する検査装置。
【請求項２０】
１以上のプロセッサによって実行される方法であって、
第１の物品を、消耗状態を観測すべき対象として識別し、
消耗状態を観測すべき対象として識別された前記第１の物品の消耗状態を情報取得装置によって観測可能にするよう、駆動装置を制御する、
消耗品の消耗状態を観測する方法。
【手続補正２】
【補正対象書類名】明細書
【補正対象項目名】発明の名称
【補正方法】変更
【補正の内容】
【発明の名称】検査装置及び方法
【手続補正３】
【補正対象書類名】明細書
【補正対象項目名】０００１
【補正方法】変更
【補正の内容】
【０００１】
本発明は、検査装置及び方法に関する。
【手続補正書】
【提出日】令和3年4月8日(2021.4.8)
【手続補正１】
【補正対象書類名】特許請求の範囲
【補正対象項目名】請求項６
【補正方法】変更
【補正の内容】
【請求項６】
請求項１〜４のいずれか１項に記載の調心装置において、
前記第２の保持機構は、前記締結ホルダと前記可動リングとの間に可動方向に膨張収縮自在に配置される可撓性チューブと、前記可撓性チューブに連通する給排ポートと、を有する、調心装置。
【手続補正２】
【補正対象書類名】特許請求の範囲
【補正対象項目名】請求項９
【補正方法】変更
【補正の内容】
【請求項９】
請求項１〜８のいずれか１項に記載の調心装置において、
前記第１の保持機構は、それぞれテーパ面が設けられ前記取付プレートに取り付けられる複数の第１の保持部と、前記テーパ面にボールを介して対向するテーパ面がそれぞれ設けられ前記ロックピストンの移動方向に移動自在に前記締結ホルダに設けられた第１の保持部と、前記ロックピストンに設けられ前記第２の保持部に突き当てられるフランジを備えたピストンロッドと、を有する調心装置。
【手続補正３】
【補正対象書類名】図面
【補正対象項目名】図１
【補正方法】変更
【補正の内容】
【図１】
2020062694.tif 000001
【手続補正４】
【補正対象書類名】図面
【補正対象項目名】図２
【補正方法】変更
【補正の内容】
【図２】
2020062694.tif 000002
【手続補正５】
【補正対象書類名】図面
【補正対象項目名】図１１
【補正方法】変更
【補正の内容】
【図１１】
2020062694.tif 000003
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
表示部と、
前記表示部に接続され、複数種類の指示命令を前記表示部に送信する制御部と、を備え、
前記表示部は、
画像を表示する表示手段と、
前記表示手段による画像の表示を制御する画像制御手段と、
予め複数の画像が記憶されている画像記憶手段と、
前記画像記憶手段から画像を読み出して前記画像制御手段に転送する転送処理を行う転送制御手段と、
前記画像制御手段及び前記転送制御手段に接続されている表示制御手段と、を有し、
前記表示制御手段は、
受信した前記指示命令の種類に基づき前記指示命令の整合性を判定する整合性判定手段と、
受信した前記指示命令の種類が画像に関わる種類である場合に、前記転送制御手段に、前記画像記憶手段に記憶された前記複数の画像の中から前記指示命令に応じた画像の前記転送処理を行わせる転送処理手段と、
前記転送制御手段による前記転送処理が正常に終了したか否かを監視する転送処理監視手段と、
前記整合性判定手段の判定結果、又は、前記転送処理監視手段の監視結果に応じた回答命令を前記制御部に送信する回答命令送信手段と、を有し、
前記回答命令の種類には、正常時の回答命令及び異常時の回答命令があり、
前記正常時の回答命令は、受信した前記指示命令の種類に応じて当該回答命令のデータ長が異なり、
前記異常時の回答命令は、受信した前記指示命令の種類に関わらず当該回答命令のデータ長が同一であり、前記異常時の回答命令には、前記異常時の回答命令を送信した回数及び異常の内容が含まれている
ことを特徴とする遊技機。
【手続補正２】
【補正対象書類名】明細書
【補正対象項目名】０００４
【補正方法】変更
【補正の内容】
【０００４】
また、上記構成の遊技機において、主制御装置からのコマンドを受信し、ＶＤＰへＤＭＡ転送する表示制御装置を備えた遊技機が開示されている（例えば、特許文献１参照）。
【手続補正３】
【補正対象書類名】明細書
【補正対象項目名】０００５
【補正方法】変更
【補正の内容】
【０００５】
【特許文献１】特開２００５−１６０８２８号公報
【手続補正４】
【補正対象書類名】明細書
【補正対象項目名】０００６
【補正方法】変更
【補正の内容】
【０００６】
しかしながら、特許文献１に記載の遊技機では、主制御装置からのコマンドを正常に受信できたが、ＤＭＡ転送の際にエラーが発生した場合などに、ＤＭＡ転送が正常に終了せず、転送漏れが生じる虞があった。
【手続補正５】
【補正対象書類名】明細書
【補正対象項目名】０００７
【補正方法】変更
【補正の内容】
【０００７】
本発明の目的は、上記従来技術における実情を考慮し、転送漏れを抑制できる遊技機を提供することにある。
【手続補正６】
【補正対象書類名】明細書
【補正対象項目名】０００９
【補正方法】変更
【補正の内容】
【０００９】
表示部（例えば、後述のサブ液晶ユニット２００）と、
前記表示部に接続され、複数種類の指示命令を前記表示部に送信する制御部（例えば、後述の副制御回路４２）と、を備え、
前記表示部は、
画像を表示する表示手段（例えば、後述の液晶画面２０２）と、
前記表示手段による画像の表示を制御する画像制御手段（例えば、後述の画像認識ＤＳＰ２１２）と、
予め複数の画像が記憶されている画像記憶手段（例えば、後述の外付けメモリ２０３）と、
前記画像記憶手段から画像を読み出して前記画像制御手段に転送する転送処理を行う転送制御手段（例えば、後述のＤＭＡＣ２１５）と、
前記画像制御手段及び前記転送制御手段に接続されている表示制御手段（例えば、後述のホストコントローラ２１０）と、を有し、
前記表示制御手段は、
受信した前記指示命令の種類に基づき前記指示命令の整合性を判定する整合性判定手段と、
受信した前記指示命令の種類が画像に関わる種類である場合に、前記転送制御手段に、前記画像記憶手段に記憶された前記複数の画像の中から前記指示命令に応じた画像の前記転送処理を行わせる転送処理手段と、
前記転送制御手段による前記転送処理が正常に終了したか否かを監視する転送処理監視手段と、
前記整合性判定手段の判定結果、又は、前記転送処理監視手段の監視結果に応じた回答命令（例えば、後述のＡＣＫ／ＮＡＫコマンド）を前記制御部に送信する回答命令送信手段と、を有し、
前記回答命令の種類には、正常時の回答命令及び異常時の回答命令があり、
前記正常時の回答命令は、受信した前記指示命令の種類に応じて当該回答命令のデータ長が異なり、
前記異常時の回答命令は、受信した前記指示命令の種類に関わらず当該回答命令のデータ長が同一であり、前記異常時の回答命令には、前記異常時の回答命令を送信した回数及び異常の内容が含まれている
ことを特徴とする遊技機。
【手続補正７】
【補正対象書類名】明細書
【補正対象項目名】００１０
【補正方法】変更
【補正の内容】
【００１０】
本発明によれば、転送漏れを抑制することができる。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
遊技領域に配置されている特別入賞口と、
所定の判定条件の成立に基づいて判定処理を行うと、当該判定処理の結果を示す識別図柄を変動表示させることが可能な遊技制御手段と、
演出を制御可能な演出制御手段と、を備える遊技機において、
前記遊技制御手段は、
前記判定処理で大当たりと判定すると、遊技者に有利な大当たり遊技を実行可能であり、
前記大当たり遊技後に第１遊技状態よりも遊技者に有利な第２遊技状態に移行可能であり、
前記判定処理で小当たりと判定すると、前記特別入賞口を開放させる小当たり遊技を実行可能であり、
特定遊技状態にて前記判定処理で大当たりと判定して、大当たりを示す前記識別図柄の変動表示を開始させるときに、前記特定遊技状態よりも前記小当たり遊技にて前記特別入賞口に入賞し易い小当たり入賞容易状態に移行可能であり、
前記演出制御手段は、
大当たりを示す前記識別図柄の変動表示が開始するときに前記小当たり入賞容易状態に移行すると、当該小当たり入賞容易状態において遊技球が前記小当たり遊技にて前記特別入賞口に入賞可能な状況で、前記大当たり遊技後に前記第２遊技状態に移行することを示唆する移行示唆演出を実行可能であることを特徴とする遊技機。
【手続補正２】
【補正対象書類名】明細書
【補正対象項目名】０００６
【補正方法】変更
【補正の内容】
【０００６】
本発明の遊技機は、
遊技領域に配置されている特別入賞口と、
所定の判定条件の成立に基づいて判定処理を行うと、当該判定処理の結果を示す識別図柄を変動表示させることが可能な遊技制御手段と、
演出を制御可能な演出制御手段と、を備える遊技機において、
前記遊技制御手段は、
前記判定処理で大当たりと判定すると、遊技者に有利な大当たり遊技を実行可能であり、
前記大当たり遊技後に第１遊技状態よりも遊技者に有利な第２遊技状態に移行可能であり、
前記判定処理で小当たりと判定すると、前記特別入賞口を開放させる小当たり遊技を実行可能であり、
特定遊技状態にて前記判定処理で大当たりと判定して、大当たりを示す前記識別図柄の変動表示を開始させるときに、前記特定遊技状態よりも前記小当たり遊技にて前記特別入賞口に入賞し易い小当たり入賞容易状態に移行可能であり、
前記演出制御手段は、
大当たりを示す前記識別図柄の変動表示が開始するときに前記小当たり入賞容易状態に移行すると、当該小当たり入賞容易状態において遊技球が前記小当たり遊技にて前記特別入賞口に入賞可能な状況で、前記大当たり遊技後に前記第２遊技状態に移行することを示唆する移行示唆演出を実行可能であることを特徴とする遊技機である。
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
複数種の特定演出のうちのいずれかを実行する特定演出実行手段と、
前記特定演出が実行されるよりも前に、複数種の事前演出のうちのいずれかを実行する事前演出実行手段と、
を備え、
複数種の前記特定演出のそれぞれには、複数種の事前演出のうちのいずれかが対応づけられており、
前記事前演出とその後の前記特定演出が対応関係にある適合パターンとなった場合の方が、前記事前演出とその後の前記特定演出が対応関係にない非適合パターンとなった場合よりも遊技者に有利な事象が発生する蓋然性が高くなるように設定されており、
前記適合パターンとなった場合には、前記非適合パターンとなった場合には発生することがない好機演出が発生することを特徴とする遊技機。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
２つの側板と、該２つの側板間に設けられた車輪止部材とを具備することを特徴とする乳母車収納具。
【請求項２】
前記車輪止部材が、前方に向かって傾斜した板状部材である請求項１に記載の乳母車収納具。
【請求項３】
前記２つの側板間に設けられた天板をさらに具備する請求項１又は２に記載の乳母車収納具。
【請求項４】
前記２つの側板間に設けられた背板をさらに具備し、前記背板が、前記天板よりも下方に配置されている請求項３に記載の乳母車収納具。
【請求項５】
前記背板が、前記側板の後端面よりも前方に配置されている請求項４に記載の乳母車収納具。
【請求項６】
前記側板の上半分及び/又は後半分の内部をペーパーコアで構成し、前記側板の下半分及び/又は前半分の内部を中密度繊維板で構成されている請求項１乃至５のいずれか一項に記載の乳母車収納具。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
マット本体と、該マット本体上において前記マット本体の縁部又は該縁部の近傍に設けられた突起状の第１規制部であって、乳幼児の臀部又は足部と係止して乳幼児の前記マット本体の手前側への滑りを規制する第１規制部と、前記マット本体の前記縁部以外の縁部に設けられた側壁部と、を具備することを特徴とするおむつ交換台用のマット。
【請求項２】
前記第１規制部が、円柱を縦に割った半体の形状である請求項１に記載のおむつ交換台用のマット。
【請求項３】
前記第１規制部は、前記半体の形状の長手方向が前記マット本体の一辺と平行になるように設けられている請求項２に記載のおむつ交換台用のマット。
【請求項４】
前記側壁部が、当該おむつ交換台用のマットが配置されるおむつ交換台の交換台本体の上端部よりも上方に延びるように構成される請求項１乃至３のいずれか一項に記載のおむつ交換台用のマット。
【請求項５】
前記マット本体上において、乳幼児の左右方向の移動を規制する複数の第２規制部をさらに具備する請求項１乃至４のいずれか一項に記載のおむつ交換台用のマット。
【請求項６】
前記複数の第２規制部間には乳幼児を固定する固定ベルトが設けられている請求項５に記載のおむつ交換台用のマット。
【請求項７】
前記第１規制部及び前記第２規制部は、前記マット本体と一体的に設けられている請求項５又は６に記載のおむつ交換台用のマット。
【請求項８】
交換台本体とマットとを有し、
前記交換台本体は、２つの側板と、該２つの側板間に設けられた天板と、前記２つの側板間に設けられた背板と、前記天板上に設けられた分割板とを有し、
前記マットは、マット本体と、該マット本体上において前記マット本体の縁部又は該縁部の近傍に設けられた突起状の第１規制部であって、乳幼児の臀部又は足部と係止して乳幼児の前記マット本体の手前側への滑りを規制する第１規制部と、前記マット本体の前記縁部以外の縁部に設けられた側壁部を有し、
前記マットは、前記分割板によって隔てられた前記天板上の一方のスペースに対して、嵌合するように構成されているおむつ交換台。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
通常遊技状態と当該通常遊技状態とは異なる特定遊技状態とを制御可能な遊技機において、
付与条件の成立に基づいて前記特定遊技状態に制御するための権利である特定権利を遊技者に付与可能な付与手段と、
遊技者に付与された前記特定権利を記憶可能な記憶手段と、
計数された遊技情報に基づいて、前記記憶手段に記憶されている前記特定権利を使用不能とし前記特定遊技状態から前記通常遊技状態に移行させる特定制御を実行可能な遊技状態制御手段と、
前記特定制御が実行される場合に、特定演出を実行可能な演出手段と、
を備え、
前記遊技状態制御手段は、遊技状態を前記通常遊技状態から前記特定遊技状態に移行させる制御を実行可能であり、かつ、前記特定遊技状態に移行させるまでの待機ゲーム数を制御可能とし、
前記待機ゲーム数には、第１待機ゲーム数と、当該第１待機ゲーム数よりも長い第２待機ゲーム数が含まれ、
前記演出手段は、
前記第１待機ゲーム数による制御が行われる場合には、前記特定演出を実行可能であり、
前記第２待機ゲーム数による制御が行われる場合には、前記特定演出を実行不能である
ことを特徴とする遊技機。
【請求項２】
通常遊技状態と当該通常遊技状態とは異なる特定遊技状態とを制御可能な遊技機において、
付与条件の成立に基づいて前記特定遊技状態に制御するための権利である特定権利を遊技者に付与可能な付与手段と、
遊技者に付与された前記特定権利を記憶可能な記憶手段と、
計数された遊技情報に基づいて、前記記憶手段に記憶されている前記特定権利を使用不能とし前記特定遊技状態から前記通常遊技状態に移行させる特定制御を実行可能な遊技状態制御手段と、
前記特定制御が実行される場合に、特定演出を実行可能な演出手段と、
を備え、
前記演出手段は、
前記特定制御により移行した前記通常遊技状態における遊技内容に基づいて、前記特定演出を一の態様から他の態様に変化させることが可能である
ことを特徴とする遊技機。
【請求項３】
前記特定演出には、直近の前記特定遊技状態における遊技の結果に関する演出が含まれる
ことを特徴とする請求項１又は２に記載の遊技機。
【請求項４】
前記特定演出は、前記特定制御が実行された後、終了条件の成立まで実行され続ける
ことを特徴とする請求項１〜３の何れか一項に記載の遊技機。
【請求項５】
前記特定演出は、前記特定制御が実行された後、実行条件の成立により開始される
ことを特徴とする請求項１〜４の何れか一項に記載の遊技機。
【請求項６】
前記遊技状態制御手段は、前記記憶手段に記憶されている前記特定権利が全て使用されることで前記特定遊技状態から前記通常遊技状態に移行させる制御を実行可能とし、
前記演出手段は、前記遊技状態制御手段による当該制御が実行される場合にも、前記特定演出を実行可能である
ことを特徴とする請求項１〜５の何れか一項に記載の遊技機。
【請求項７】
前記特定演出は、複数ゲームに亘って実行可能である
ことを特徴とする請求項１〜６の何れか一項に記載の遊技機。
【手続補正２】
【補正対象書類名】明細書
【補正対象項目名】０００５
【補正方法】変更
【補正の内容】
【０００５】
上記課題を解決するため、本発明の遊技機は、通常遊技状態と当該通常遊技状態とは異なる特定遊技状態とを制御可能な遊技機において、付与条件の成立に基づいて前記特定遊技状態に制御するための権利である特定権利を遊技者に付与可能な付与手段と、遊技者に付与された前記特定権利を記憶可能な記憶手段と、計数された遊技情報に基づいて、前記記憶手段に記憶されている前記特定権利を使用不能とし前記特定遊技状態から前記通常遊技状態に移行させる特定制御を実行可能な遊技状態制御手段と、前記特定制御が実行される場合に、特定演出を実行可能な演出手段と、を備え、前記遊技状態制御手段は、遊技状態を前記通常遊技状態から前記特定遊技状態に移行させる制御を実行可能であり、かつ、前記特定遊技状態に移行させるまでの待機ゲーム数を制御可能とし、前記待機ゲーム数には、第１待機ゲーム数と、当該第１待機ゲーム数よりも長い第２待機ゲーム数が含まれ、前記演出手段は、前記第１待機ゲーム数による制御が行われる場合には、前記特定演出を実行可能であり、前記第２待機ゲーム数による制御が行われる場合には、前記特定演出を実行不能な構成としている。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
出玉率を異ならせるために複数の設定値から選択された一の設定値を記憶可能な記憶手段と、
前記記憶手段に記憶された設定値に基づいて、当該設定値に関する情報を出力する特殊演出を実行可能な演出手段と、
前記特殊演出が実行されたことを、当該特殊演出の実行後に報知可能な報知手段と、
前記報知手段による報知を許容するか否かを店員が設定可能な許容設定手段と、
を備え、
前記報知手段は、実行された前記特殊演出の種類を報知可能である
ことを特徴とする遊技機。
【請求項２】
前記報知手段は、
対象となる前記特殊演出が実行されたときに遊技していた遊技者による前記操作手段への操作態様に基づいて、当該特殊演出が実行されたことを報知可能である
ことを特徴とする請求項１に記載の遊技機。
【請求項３】
前記報知手段は、実行された前記特殊演出の種類と回数を報知可能である
ことを特徴とする請求項１又は２に記載の遊技機。
【請求項４】
前記報知手段は、非遊技中に報知を実行可能である
ことを特徴とする請求項１〜３の何れか一項に記載の遊技機。
【請求項５】
前記報知手段は、対象となる前記特殊演出が実行されたときに遊技していた遊技者が前記操作手段への操作を行った場合に、当該特殊演出が実行されたことを報知可能である
ことを特徴とする請求項１〜４の何れか一項に記載の遊技機。
【請求項６】
前記報知手段は、対象となる前記特殊演出が実行されたときに遊技していた遊技者が前記操作手段によって前記報知手段による報知を許容する操作を行った場合に、当該特殊演出が実行されたことを報知可能である
ことを特徴とする請求項１〜４の何れか一項に記載の遊技機。
【請求項７】
通常遊技状態と当該通常遊技状態とは異なる特定遊技状態とを制御可能な特定遊技状態制御手段と、
付与条件の成立に基づいて前記特定遊技状態に制御するための権利である特定権利を遊技者に付与可能な付与手段と、
遊技者に付与された前記特定権利を記憶可能な特定権利記憶手段と、
計数された遊技情報に基づいて、前記特定権利記憶手段に記憶されている前記特定権利を使用不能とし前記特定遊技状態から前記通常遊技状態に移行させる特定制御を実行可能な遊技状態制御手段と、
前記特定制御が実行される場合に、特定演出を実行可能な特定演出手段と、
を備え、
前記特定演出手段は、
前記特定制御により移行した前記通常遊技状態における遊技内容に基づいて、前記特定演出を一の態様から他の態様に変化させることが可能である
ことを特徴とする請求項１〜６の何れか一項に記載の遊技機。
【請求項８】
前記演出手段は、前記特殊演出として第１特殊演出と第２特殊演出とを実行可能であり、
前記第１特殊演出及び前記第２特殊演出は、
遊技者により何れか一方が確認された場合には、前記設定値を予想困難な演出であり、
遊技者により双方が確認された場合には、前記設定値を予想容易な演出である
ことを特徴とする請求項１〜７の何れか一項に記載の遊技機。
【手続補正２】
【補正対象書類名】明細書
【補正対象項目名】０００５
【補正方法】変更
【補正の内容】
【０００５】
上記課題を解決するため、本発明の遊技機は、遊技者が操作可能な操作手段と、出玉率を異ならせるために複数の設定値から選択された一の設定値を記憶可能な記憶手段と、前記記憶手段に記憶された設定値に基づいて、当該設定値に関する情報を出力する特殊演出を実行可能な演出手段と、前記特殊演出が実行されたことを、当該特殊演出の実行後に報知可能な報知手段と、前記報知手段による報知を許容するか否かを店員が設定可能な許容設定手段と、を備え、前記報知手段は、実行された前記特殊演出の種類を報知可能である構成としている。
【手続補正書】
【提出日】令和3年9月29日(2021.9.29)
【手続補正１】
【補正対象書類名】明細書
【補正対象項目名】０００４
【補正方法】変更
【補正の内容】
【０００４】
そこで、血圧測定装置は、膨張したカフを上腕や手首に密着させるために、ベルトとカフの間にカーラを用いる技術が知られている（例えば、特許文献１参照）。このような血圧測定装置は、カーラにカフを両面テープ等の接着層により接着して固定させることで、カーラにカフを一体に構成する。
【手続補正２】
【補正対象書類名】明細書
【補正対象項目名】０００６
【補正方法】変更
【補正の内容】
【０００６】
上述した血圧測定装置は、カフを膨張させたときにカフの中央側が縁側より膨張する。カフの中央側がカフの縁側よりも膨らむと、カフをカーラに接着する接着層に加わる応力は、カフの縁側に集中する。このため、カフの縁側からカフがカーラから剥離するように、接着層に応力が生じる。このため、カフが膨張及び収縮を繰り返すと、カフがカーラから剥がれる虞がある。特に、カーラとカフの幅が小さくなると、カフ及びカーラが接着する面積が小さくなることから、カフがカーラからより剥がれやすくなる。このため、カフ及びカーラの幅を大きくすることで、カーラ及びカフの接合強度を向上させることも考えられる。
【手続補正３】
【補正対象書類名】明細書
【補正対象項目名】０００９
【補正方法】変更
【補正の内容】
【０００９】
一態様によれば、生体の装着する部位の周方向に倣って湾曲するカーラと、二枚のシート部材及び前記二枚のシート部材の縁部を溶着することで形成され、複数の挿入孔を含む溶着部を有し、流体により膨張する、前記カーラの内周面に配置される袋状構造体と、前記溶着部の前記生体側の面と当接するとともに、前記複数の挿入孔に挿入され、前記カーラに前記溶着部を接合する接合手段と、を備える血圧測定装置が提供される。
【手続補正４】
【補正対象書類名】明細書
【補正対象項目名】００１０
【補正方法】変更
【補正の内容】
【００１０】
ここで、流体とは、液体及び空気を含む。袋状構造体は、血圧を測定するときに生体の上腕や手首等に巻き付けられ、流体が供給することで膨張することでカフを構成する。接合手段とは、二つの部材を機械的に接合する部材であり、例えば、カシメ用の突起、リベット、縫製用の糸等を含む。
【手続補正５】
【補正対象書類名】明細書
【補正対象項目名】００２１
【補正方法】変更
【補正の内容】
【００２１】
上記一態様の血圧測定装置において、前記カーラ及び前記基材は、一体成形されるとともに、前記カーラ及び前記基材を接続するヒンジ部を有する血圧測定装置が提供される。
【手続補正６】
【補正対象書類名】明細書
【補正対象項目名】００６４
【補正方法】変更
【補正の内容】
【００６４】
カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【手続補正７】
【補正対象書類名】明細書
【補正対象項目名】００７５
【補正方法】変更
【補正の内容】
【００７５】
複数の挿入孔８２は、図１０、図１４及び図１７に示すように、接合手段８の一部を挿通可能に構成される。また、複数の挿入孔８２は、二層の空気袋８１をカーラ５に配置したときに、カーラ５の複数の被接合孔１１３と対向する。複数の挿入孔８２は、六層の空気袋８１、１０１のうち、カーラ５側に配置される空気袋８１、１０１の溶着部８１ａの周縁部の全周に、所定の間隔を開けて設けられる。
【手続補正８】
【補正対象書類名】明細書
【補正対象項目名】０１０２
【補正方法】変更
【補正の内容】
【０１０２】
複数の挿入孔１０４は、接合手段８の一部を挿通可能に構成される。また、複数の挿入孔１０４は、六層の空気袋１０１をカーラ５に配置したときに、カーラ５の複数の被接合孔１１３と対向する。複数の挿入孔１０４は、六層の空気袋１０１のうち、カーラ５側に配置される空気袋１０１の溶着部１０１ａの周縁部の全周に、所定の間隔を開けて設けられる。
【手続補正９】
【補正対象書類名】明細書
【補正対象項目名】０１０８
【補正方法】変更
【補正の内容】
【０１０８】
このような流体回路７は、第１開閉弁１６Ａ及び第２開閉弁１６Ｂが閉じることで、第１流路７ａのみがポンプ１４と接続し、ポンプ１４及び平カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び甲カフ７４、甲カフ７４及び平カフ７１、並びに、ポンプ１４及びセンシングカフ７３が流体的に接続される。流体回路７は、第１開閉弁１６Ａが閉じ、そして、第２開閉弁１６Ｂが開くことで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【手続補正１０】
【補正対象書類名】明細書
【補正対象項目名】０１４８
【補正方法】変更
【補正の内容】
【０１４８】
カーラ５の裏蓋３５の形状と同径に形成された部位の外周縁においては、空気袋８１、１０１が膨張しないことから、突起１１２のカシメが手首２００側に配置されていても、カフ構造体６の膨張時に、突起１１２の先端がカフ構造体６に干渉することがない。また、裏蓋３５と対向する外周面側に突起１１２の先端が位置することもないことから、カーラ５と裏蓋３５とが当接するときに、突起１１２の先端がカーラ５及び裏蓋３５との間に配置されることがなく、カーラ５及び裏蓋３５を密着させることが可能となる。
【手続補正書】
【提出日】令和3年9月29日(2021.9.29)
【手続補正１】
【補正対象書類名】明細書
【補正対象項目名】０００４
【補正方法】変更
【補正の内容】
【０００４】
そこで、血圧測定装置には、膨張したカフを上腕や手首に密着させるために、ベルトとカフの間にカーラを用いる技術が知られている（例えば、特許文献１参照）。カーラは、例えば、上腕や手首の周方向の形状に沿った形状を有し、内周面にカフが配置される。また、カーラは、血圧測定装置の装着時にベルトによる締め付けによって上腕や手首の周方向の形状や太さに合うように変形するとともに、カフの膨張によって変形することが抑制できる比較的硬質の樹脂材料により構成される。
【手続補正２】
【補正対象書類名】明細書
【補正対象項目名】００１１
【補正方法】変更
【補正の内容】
【００１１】
一態様によれば、樹脂材料により形成され、流体により膨張するカフ構造体と、生体の装着する部位の周方向に倣って湾曲するとともに、一端と他端とが離間して形成され、前記カフ構造体が溶着されるとともに、前記カフ構造体が溶着される部位が少なくとも前記カフ構造体を形成する樹脂材料と同種材料で形成されたカーラと、を備える血圧測定装置が提供される。
【手続補正３】
【補正対象書類名】明細書
【補正対象項目名】００１６
【補正方法】変更
【補正の内容】
【００１６】
この態様によれば、カーラを一種類の樹脂材料で形成できることから、製造が容易となる。また、カーラの全ての部位においてカフ構造体と熱による溶着が可能となることから、溶着部位の設計に高い自由度を有する。
【手続補正４】
【補正対象書類名】明細書
【補正対象項目名】００４５
【補正方法】変更
【補正の内容】
【００４５】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部５５に送る。
【手続補正５】
【補正対象書類名】明細書
【補正対象項目名】００６０
【補正方法】変更
【補正の内容】
【００６０】
カーラ５は、内周面にカフ構造体６が配置され、そして、カーラ５の内周面形状に沿ってカフ構造体６を保持する。具体例として、カーラ５は、平カフ７１及び甲カフ７４が内周面に配置され、外周面又は内周面に平カフ７１及び甲カフ７４が熱により溶着されることで、カフ構造体６が固定される。本実施形態においては、カーラ５は、内周面に平カフ７１及び甲カフ７４が熱により溶着される。
【手続補正６】
【補正対象書類名】明細書
【補正対象項目名】００７８
【補正方法】変更
【補正の内容】
【００７８】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。
【手続補正７】
【補正対象書類名】明細書
【補正対象項目名】０１０１
【補正方法】変更
【補正の内容】
【０１０１】
例えば、カーラ５は、例えば、熱可塑性ポリウレタン樹脂（ＴＰＵ）の１１７４Ｄが用いられ、そして、平カフ７１及び甲カフ７４は、熱可塑性ポリウレタン樹脂（ＴＰＵ）のＲ１９５Ａが用いられる。なお、カーラ５と平カフ７１及び甲カフ７４、並びに、隣り合うシート部材８６、９６、１０６が好適な溶着が可能であれば、シート部材８６、９６、１０６は、単層構造を有していても良く、また、複層構造を有していても良い。
【手続補正８】
【補正対象書類名】明細書
【補正対象項目名】０１０４
【補正方法】変更
【補正の内容】
【０１０４】
このような流体回路７は、第１開閉弁１６Ａ及び第２開閉弁１６Ｂが閉じることで、第１流路７ａのみがポンプ１４と接続し、ポンプ１４及び平カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び甲カフ７４、甲カフ７４及び平カフ７１、並びに、ポンプ１４及びセンシングカフ７３が流体的に接続される。流体回路７は、第１開閉弁１６Ａが閉じ、そして、第２開閉弁１６Ｂが開くことで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【手続補正９】
【補正対象書類名】明細書
【補正対象項目名】０１１４
【補正方法】変更
【補正の内容】
【０１１４】
このように構成された一実施形態に係る血圧測定装置１は、カーラ５と、平カフ７１及び甲カフ７４とを熱溶着により接合する構成である。また、血圧測定装置１は、カーラ５、平カフ７１及び甲カフ７４の少なくとも溶着する部位を、相溶性がよく、また、軟化温度が同じか又は近い同種材料である熱可塑性樹脂材料とする構成である。
【手続補正１０】
【補正対象書類名】明細書
【補正対象項目名】０１１７
【補正方法】変更
【補正の内容】
【０１１７】
また、血圧測定装置１は、好適に熱溶着が可能な樹脂材料をカーラ５、平カフ７１及び甲カフ７４に用いることで、カーラ５と平カフ７１及び甲カフ７４とを直接溶着できる。このため、図１１に示すように、カーラ５及びカフ構造体６は、カーラ５と平カフ７１及び甲カフ７４との当接するいずれかの部位を溶着すればよく、接着層を設ける必要や、接着や縫製のための接合代を取る必要がない。
【手続補正１１】
【補正対象書類名】明細書
【補正対象項目名】０１３５
【補正方法】変更
【補正の内容】
【０１３５】
第２部位５ｂは、カーラ５Ａのうち第１部位５ａ以外の部位を構成する。第２部位５ｂは、カーラ５Ａの可撓性及び形状保持性を得るために設けられる。第２部位５ｂは、第１部位５ａとともにカーラ５Ａの機能を発揮できれば、その範囲、形状等は適宜設定できる。例えば、第２部位５ｂは、第１部位５ａよりも硬い材料であって、且つ、第１部位５ａよりも低い弾性率を有する材料により構成される。
【手続補正１２】
【補正対象書類名】明細書
【補正対象項目名】０１５５
【補正方法】変更
【補正の内容】
【０１５５】
押圧カフ７１Ｂは、空気袋８１Ｂと、空気袋８１Ｂに設けられ流路部１５に流体的に接続されるチューブと、を備える。押圧カフ７１Ｂは、袋状カバー体７６内にカーラ５Ｂとともに、収容され、カーラ５Ｂの内面に熱による溶着により接合される。
【誤訳訂正書】
【提出日】令和3年9月2日(2021.9.2)
【誤訳訂正１】
【訂正対象書類名】明細書
【訂正対象項目名】００３２
【訂正方法】変更
【訂正の内容】
【００３２】
実施例Ｉ
酵母におけるＣＲＩＳＰＲ−Ｃａｓ９を用いた多重遺伝子編集の一般的プロセス
ストレプトコッカス・ピオゲネス（Streptococcous pyogenes）のＣＲＩＳＰＲ免疫系由来のＣａｓ９を用いて、相同組換えを促進し、サッカロミセス・セレビシエ（Saccharaomyces cerevisiae）において形質転換ＤＮＡを組み換えない細胞以外を選択する。Ｃａｓ９を用いたＲＮＡ誘導型ＤＮＡ切断の一般的な方法を図１に示す。Ｃａｓ９、ガイドＲＮＡ、および標的ＤＮＡの間で共局在複合体が形成される。Ｃａｓ９により標的ＤＮＡ中に二本鎖切断が生じる。次に、相同組換えによりドナーＤＮＡがＤＮＡに挿入される。ドナーＤＮＡには、切断部位の両側に隣接配列、およびＣａｓ９切断部位を除去する配列が含まれる。その結果、ドナーＤＮＡが、ゲノムＤＮＡであってもよいＤＮＡ中に組み込まれる。
【誤訳訂正２】
【訂正対象書類名】明細書
【訂正対象項目名】００３５
【訂正方法】変更
【訂正の内容】
【００３５】
図２に示されるように、選択マーカーを用いて１種類または複数種類のガイドＲＮＡについて細胞を選択する。選択された細胞は、１種類または複数種類のガイドＲＮＡを発現する。ガイドＲＮＡと、ＲＮＡ誘導型エンドヌクレアーゼＣａｓ９と、ＤＮＡとの１種類または複数種類の共局在複合体が細胞中で形成される。エンドヌクレアーゼによりＤＮＡが切断され、ドナー核酸が相同組換えなどの組換えによって細胞に挿入される。次に、細胞のプラスミドを除去（cure）した後、細胞について必要に応じて上記ステップを１回またはさらに繰り返す。複数のサイクルを行ってもよい。複数のサイクルを経た細胞は、高い組換え頻度を示す。または、細胞をプラスミドの維持について非選択（deselect）とするか、あるいはプラスミドを有する細胞以外を選択するための培地中に細胞を入れる。その後、細胞成長ステップで始まるプロセスを繰り返す。したがって、方法は、前のサイクルで既に改変された細胞を繰り返すか、または前のサイクルから改変されなかった細胞を選択し、この非改変細胞をさらに繰り返して本明細書に記載されるＤＮＡの改変を行うことを含む。
【誤訳訂正３】
【訂正対象書類名】明細書
【訂正対象項目名】００３６
【訂正方法】変更
【訂正の内容】
【００３６】
実施例ＩＩ
詳細な繰り返しプロトコール
（ウラシル栄養要求株、構成的Ｃａｓ９発現）細胞を、５ｍｌのＳＣ酵母培地またはＳＣ＋ＦＯＡ（１００μｇ／ｍｌ）中で、光学密度０．８〜１．０まで成長させる。細胞を２２５０×ｇで３分間スピンし、１０ｍｌの水で１回洗浄する。細胞をスピンし、１ｍｌの１００ｍＭ酢酸リチウムに再懸濁する。細胞をペレット化し、５００μｌの１００ｍＭ酢酸リチウムに再懸濁する。５０μｌの細胞；１ｎｍｏｌの二本鎖オリゴヌクレオチドプール、各５μｇのガイドＲＮＡ（ウラシルマーカーを有するｐ４２６ベクター）を含み、７０μｌまで水を加えて所望の最終体積にしたＤＮＡ混合物；２４０μｌの５０％ＰＥＧ３３５０；および３６μｌの１Ｍ酢酸リチウムをこの順番で添加することにより、形質転換混合物を調製する。混合物を３０℃で３０分間インキュベートする。次に、混合物をボルテックスし、混合物を４２℃で２０分間インキュベートすることにより細胞に熱ショックを与える。次に、細胞をペレット化し、上清を除去する。細胞を５ｍｌのＳＣ−ウラシルに播種して、ウラシル遺伝子を含むｇＲＮＡプラスミドを選択する。細胞を２日間回復させる。２日後、１００μｌの細胞培養物を５ｍｌの新たに調製したＳＣに播種し、１２時間成長させてプラスミド維持について非選択とする。次に、１００μｌのＳＣ培養細胞を５ｍｌのＳＣ＋ＦＯＡ（１００μｇ／ｍＬ）培地に播種して、プラスミドを有する細胞以外を選択する。これにより、プロセスの１サイクルが完了する。このプロセスを、所望のサイクル回数分、反復する。プロセス全体は、１サイクル、２サイクル、３サイクル、４サイクル、５サイクル、６サイクル、７サイクル、８サイクル、９サイクル、１０サイクル、１５サイクル、２０サイクル、２５サイクルなどを含んでいてもよい。
【誤訳訂正４】
【訂正対象書類名】特許請求の範囲
【訂正対象項目名】全文
【訂正方法】変更
【訂正の内容】
【特許請求の範囲】
【請求項１】
標的ＤＮＡに相補的なガイドＲＮＡと共局在複合体を形成し、且つ前記標的ＤＮＡを部位特異的に切断するＣａｓ９酵素を発現する細胞においてＤＮＡに外来性核酸配列を多重挿入するインビトロ又はエクスビボの方法であって、
（ａ）複数種類のガイドＲＮＡおよび複数種類の外来性ドナー核酸配列を前記細胞に導入すること、ここで、前記Ｃａｓ９酵素により前記ＤＮＡが切断されて切断部位が形成され、該切断部位に前記複数種類の外来性ドナー核酸配列のうちの１つが挿入され、前記細胞は真核細胞である、および、
（ｂ）ステップ（ａ）を繰り返して前記細胞において前記ＤＮＡに複数の変化を生じさせることを含む、方法。
【請求項２】
前記細胞が、酵母細胞、植物細胞、または動物細胞である、請求項１に記載の方法。
【請求項３】
前記ガイドＲＮＡが、ｔｒａｃｒＲＮＡ−ｃｒＲＮＡ融合体である、請求項１に記載の方法。
【請求項４】
前記標的ＤＮＡが、ゲノムＤＮＡ、ミトコンドリアＤＮＡ、ウイルスＤＮＡ、または外来性ＤＮＡである、請求項１に記載の方法。
【請求項５】
前記外来性ドナー核酸配列が、組換えにより挿入される、請求項１に記載の方法。
【請求項６】
前記外来性ドナー核酸配列が、相同組換えにより挿入される、請求項１に記載の方法。
【請求項７】
前記複数種類のガイドＲＮＡ及び前記複数種類の外来性ドナー核酸配列が、１つ又は複数のプラスミド上に存在する、請求項１に記載の方法。
【請求項８】
前記外来性ドナー核酸配列が前記切断部位の両側に隣接する相同配列またはアームを含む、請求項１に記載の方法。
【請求項９】
前記外来性ドナー核酸配列が前記切断部位を除去するための配列を含む、請求項１に記載の方法。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
所定の読取位置に載置された薬品の向きが正常な向きであるか否かを判定する薬品向き判定装置であって、
前記読取位置へ前記薬品を搬送する第１搬送部と、
前記第１搬送部において前記読取位置に載置された前記薬品の外周面に付されたバーコードを、前記薬品の頭部側および前記頭部側とは反対側の底部側から読み取り可能な第１読取部と、
前記第１読取部において取得された前記バーコードの情報に含まれる前記バーコードの向きに関する情報と、予め登録された前記薬品のバーコードの向きを示す登録情報とを比較して、前記薬品の向きを判定する判定部と、
を備えている薬品向き判定装置。
【請求項２】
前記読取位置に載置された前記薬品を回転させる回転機構を、さらに備えている、
請求項１に記載の薬品向き判定装置。
【請求項３】
前記登録情報を記憶する記憶部を、さらに備えている、
請求項１または２に記載の薬品向き判定装置。
【請求項４】
前記登録情報が保存された外部装置から前記登録情報を取得する取得部を、さらに備えている、
請求項１または２に記載の薬品向き判定装置。
【請求項５】
前記読取位置は、回転駆動されるローラと、側面視において前記ローラに対して略Ｖ字状になるように近接配置された板状部材と、によって形成されている、
請求項１から４のいずれか１項に記載の薬品向き判定装置。
【請求項６】
前記読取位置に載置された前記薬品を、その長手方向に沿って、所定の位置まで移動させる位置決め部材を、さらに備えている、
請求項１から５のいずれか１項に記載の薬品向き判定装置。
【請求項７】
前記判定部において、前記薬品が反対向きであると判定された場合に、前記薬品を持ち上げて向きを反転させる第２搬送部を、さらに備えている、
請求項１から６のいずれか１項に記載の薬品向き判定装置。
【請求項８】
前記判定部において、前記薬品が正常な向きであると判定された場合に、前記薬品の外周面に付された文字情報を読み取る第２読取部を、さらに備えている、
請求項１から７のいずれか１項に記載の薬品向き判定装置。
【請求項９】
前記第１読取部は、バーコードリーダである、
請求項１から８のいずれか１項に記載の薬品向き判定装置。
【請求項１０】
前記第２読取部は、前記文字情報を含む画像を取得する撮像部である、
請求項８に記載の薬品向き判定装置。
【請求項１１】
所定の読取位置に載置された薬品の向きが正常な向きであるか否かを判定する薬品向き判定方法であって、
前記読取位置へ前記薬品を搬送する第１搬送ステップと、
前記第１搬送ステップにおいて前記読取位置に載置された前記薬品の外周面に付されたバーコードを、前記薬品の頭部側および前記頭部側とは反対側の底部側から読み取り可能な第１読取り部を用いて読み取る第１読取ステップと、
前記第１読取ステップにおいて取得された前記バーコードの情報に含まれる前記バーコードの向きに関する情報と、予め登録された前記薬品のバーコードの向きを示す登録情報とを比較して、前記薬品の向きを判定する判定ステップと、
を備えている薬品向き判定方法。
【請求項１２】
所定の読取位置に載置された薬品の向きが正常な向きであるか否かを判定する薬品向き判定プログラムであって、
前記読取位置へ前記薬品を搬送する第１搬送ステップと、
前記第１搬送ステップにおいて前記読取位置に載置された前記薬品の外周面に付されたバーコードを、前記薬品の頭部側および前記頭部側とは反対側の底部側から読み取り可能な第１読取り部を用いて読み取る第１読取ステップと、
前記第１読取ステップにおいて取得された前記バーコードの情報に含まれる前記バーコードの向きに関する情報と、予め登録された前記薬品のバーコードの向きを示す登録情報とを比較して、前記薬品の向きを判定する判定ステップと、
を備えている薬品向き判定方法をコンピュータに実行させる薬品向き判定プログラム。
【手続補正書】
【提出日】令和3年8月11日(2021.8.11)
【手続補正１】
【補正対象書類名】明細書
【補正対象項目名】００１９
【補正方法】変更
【補正の内容】
【００１９】
次にステップ（２）とその反応条件（処理条件）について説明する。
本発明の処理は、主に二つの処理メカニズムにより進行する。一つは、消石灰とリン酸による反応によって水酸化アパタイトを生成する過程で、水酸化アパタイト中にホウ素等有害物質を取り込む（包含プロセス）。もう一つは、生成した水酸化アパタイト表面に有害物質を吸着させる（吸着プロセス）。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
外周面に媒体を吸着して周回することで前記媒体を搬送する搬送ベルトと、
前記搬送ベルトによって搬送される前記媒体に記録を行う記録部と、
前記搬送ベルトの前記外周面に接触した状態で動くことで前記外周面を清掃する清掃部と、を備え、
前記清掃部が前記搬送ベルトの前記外周面に接触した状態で前記清掃部および前記搬送ベルトがともに動くことで、前記外周面を清掃する清掃動作と、
前記清掃部が前記搬送ベルトの前記外周面に接触した状態で前記清掃部が停止し前記搬送ベルトが動くことで、前記外周面の温度を上げる結露抑制動作と、を実行可能である、
ことを特徴とする記録装置。
【請求項２】
外周面に媒体を吸着して周回することで前記媒体を搬送する搬送ベルトと、
前記搬送ベルトによって搬送される前記媒体に記録を行う記録部と、
前記搬送ベルトの前記外周面を清掃する清掃部と、を備え、
前記清掃部が前記外周面に接触した状態で前記搬送ベルトが第１の時間周回することで、前記搬送ベルトの前記外周面を清掃する清掃動作と、
前記清掃部が前記外周面に接触した状態で前記搬送ベルトが前記第１の時間よりも長い第２の時間周回することで、前記搬送ベルトの前記外周面の温度を上げる結露抑制動作と、を実行可能である、
ことを特徴とする記録装置。
【請求項３】
請求項１または請求項２に記載の記録装置において、
前記搬送ベルトに電圧を印加することで前記搬送ベルトを帯電させる電圧印加部を備え、
前記結露抑制動作は、前記電圧印加部による前記電圧の印加を停止した状態で行われる、
ことを特徴とする記録装置。
【請求項４】
請求項１から請求項３のいずれか一項に記載の記録装置において、
前記結露抑制動作を実行する第１モードと、前記結露抑制動作を実行しない第２モードと、を選択可能である、
ことを特徴とする記録装置。
【請求項５】
請求項１から請求項４のいずれか一項に記載の記録装置において、
設置された環境の温度を検出する温度検出部を備え、
前記温度検出部における検出温度に応じて前記結露抑制動作を実行する、
ことを特徴とする記録装置。
【請求項６】
請求項５に記載の記録装置において、
前記温度検出部における前記検出温度が、所定の温度を下回った後に上昇を開始すると前記結露抑制動作を実行する、
ことを特徴とする記録装置。
【請求項７】
請求項６に記載の記録装置において、
前記検出温度の上昇開始時の温度が低いほど、前記結露抑制動作の実行時間を長くする、
ことを特徴とする記録装置。
【請求項８】
請求項５に記載の記録装置において、
前記温度検出部における検出温度の単位時間当たりの上昇率が所定以上となった場合に前記結露抑制動作を実行する、
ことを特徴とする記録装置。
【請求項９】
請求項１から請求項８のいずれか一項に記載の記録装置において、
前記結露抑制動作を開始する時間を設定可能なタイマーを備える、
ことを特徴とする記録装置。
【請求項１０】
請求項１から請求項９のいずれか一項に記載の記録装置において、
当該記録装置の電源がオンにされた場合に、前記結露抑制動作を行う、
ことを特徴とする記録装置。
【請求項１１】
請求項１から請求項１０のいずれか一項に記載の記録装置において、
前記搬送ベルトと、前記記録部と、前記清掃部と、を内部に収容する筐体と、
前記筐体内に空気の流れを発生させる送風ファンと、を備え、
前記結露抑制動作の開始に先立って前記送風ファンを駆動する、
ことを特徴とする記録装置。